(57)【要約】      （修正有）【課題】飼い犬の糞が地上に落下するまでに捕集することのできる犬糞取り具に関し、特に目立たなく、軽くてスリムで携帯しやすく、操作性も良く、環境にやさしい捕集袋とからなる犬糞取り具に関する。【解決手段】予め膨らみを持たせて形成された２本の弾性支持材に捕集袋が係止され、弾性支持材が弾性支持材収納部に引き込まれて収納され、使用時に於いては、弾性支持材を弾性支持材収納部より突出させて捕集袋が開かれて犬糞を取り易くするように構成され、弾性支持材の後端部に固定されたレバーを弾性支持材収納に形成されたスリットに沿って摺動させることができるように構成した、弾性支持材収納部の入口両サイドにローラーを軸支し、捕集袋を取り付けた弾性支持材を弾性支持材収納部に容易に引き入れて収納できるように構成した。【選択図】図１
0003112953.tif 000002
【実用新案登録請求の範囲】
【請求項１】
予め膨らみを持たせて形成された２本の弾性支持材に捕集袋が係止され、該弾性支持材が弾性支持材収納部に引き込まれて収納され、使用時に於いては、弾性支持材を該弾性支持材収納部より突出させて捕集袋が開かれて犬糞を取り易くするように構成されたことを特徴とする犬糞取り具。
【請求項２】
弾性支持材収納部への弾性支持材の出し入れをするために、弾性支持材の後端部に固定されたレバーを弾性支持材収納に形成されたスリットに沿って摺動させることができるように構成したことを特徴とする請求項１記載の犬糞取り具。
【請求項３】
弾性支持材収納部の入口両サイドにローラーを軸支し、捕集袋を取り付けた弾性支持材を弾性支持材収納部に容易に引き入れて収納できるように構成したことを特徴とする請求項１記載の犬糞取り具。
【考案の詳細な説明】
【技術分野】
【０００１】  本考案は、飼い犬の散歩に際し、飼い犬の糞が地上に落下するまでに捕集することのできる犬糞取り具に関し、特に目立たなく、軽くてスリムで携帯しやすく、操作性も良く、環境にやさしい捕集袋とからなる犬糞取り具に関する。
【背景技術】
【０００２】  一般的に飼い犬の散歩は、飼い犬に運動をさせると共に排泄をさせることも大切な目的であるが、落糞で他人に迷惑を掛けるばかりでなく、環境を汚すことに対する飼い主の社会的責任は大きく要求されるものである。【０００３】  これらを解決するために種々の考案や発明が提案されており、例としては、実公平７−３８８６号公報「犬糞等の携帯用始末具」や特開平９−２２００３８号公報「犬糞処理具」等が開示されている。【０００４】
【特許文献１】  実公平７−３８８６号公報
【特許文献２】  特開平９−２２００３８号公報
【考案の開示】
【考案が解決しようとする課題】
【０００５】  前記せる実公平７−３８８６号公報の内容は、飼い犬の糞等の汚物を処理するため、底に収納袋を有した小型平鍋のような収納容器と、収納容器より取り出した箸部材で汚物を拾い上げ廃棄用袋に投入するものである。又、特開平９−２２００３８号公報の内容は、小型平鍋に蓋を付けたような収納容器を操作して犬糞が地上に落下するまでに収納容器に収納する犬糞処理具である。【０００６】  上記の考案や発明は、便利な機構であって頑丈に出来ているため、携帯する上では処理具の大きさと、重量と、構造が目立ちすぎるので、本考案はこのような問題点を鑑みて創案され、特に目立たなく、軽くてスリムで携帯しやすく、操作性も良く、環境にやさしい捕集袋とからなる犬糞取り具を提供するものである。
【課題を解決するための手段】
【０００７】  このような課題を解決するために鋭意研究の結果本考案の犬糞取り具は、予め膨らみを持たせて形成された２本の弾性支持材に捕集袋が係止され、該弾性支持材が弾性支持材収納部に引き込まれて収納され、使用時に於いては、弾性支持材を該弾性支持材収納部より突出させて捕集袋が開かれて犬糞を取り易くするように構成されたことを特徴とし、弾性支持材収納部への弾性支持材の出し入れをするために、弾性支持材の後端部に固定されたレバーを弾性支持材収納に形成されたスリットに沿って摺動させることができるように構成したことを特徴とし、且つ、弾性支持材収納部の入口両サイドにローラーを軸支し、捕集袋を取り付けた弾性支持材を弾性支持材収納部に容易に引き入れて収納できるように構成したことを特徴とする犬糞取り具を提供するものである。
【考案の効果】
【０００８】  本考案の犬糞取り具は特に目立たなく、軽くてスリムで携帯しやすく、操作性も良く、環境にやさしい捕集袋とからなる犬糞取り具を提供するものであり、犬が排泄するとき犬糞が地上に落下する前に排泄個所にあてがって容易に犬糞を捕集できるものであって弾性支持材より捕集袋を外して糊代にて粘着して捕集袋を閉じ、廃棄することができるものである。
【考案を実施するための最良の形態】
【０００９】  以下、図面に基づいて、本考案を実施するための最良の形態を具体的に説明する。
図面に於いて、図１は本考案に係る犬糞取り具の全体斜視図である。図２は使用時に於ける捕集袋の弾性支持材の一例を示す斜視図である。図３は弾性支持材収納部の部分斜視図である。図４は弾性支持材の収納時の形状を示す他の実施例の斜視図である。図５は携帯時の一例を示す斜視図である。【００１０】  図１乃至図２に示すように、弾性支持材３は予め膨らみを持たせて付勢された状態にばね材で構成されており、また、図４に示す弾性支持材４は弾性支持材収納部２に収納された状態の形状が図示されているが、弾性支持材収納部２から引き出された場合は、同様に予め膨らみを持たせて付勢された状態にばね材で構成されている。【００１１】  したがって、それぞれ２本の弾性支持材３，４は弾性支持材収納部２から引き出されたときに、側面にマチを有する捕集袋１をほぼ楕円形に開口させることができる。犬の散歩前には予め弾性支持材３または弾性支持材４に捕集袋をセットし、レバー３１をスリット２１に沿って引き入れ図５に示すように補修袋１を弾性支持材収納部２に丸めて飼い主の手で持てば目立つこともない。【００１２】  飼い犬が散歩中に排泄状態に体勢をとるときは、飼い主は直ぐに察知することができるので、レバー３１をスリット２１に沿って操作し捕集袋１を引き出し、把手２２を持って犬糞が落ちる前に即座に捕集袋１をあてがって犬糞を捕集袋１内に収納することができるように構成されている。【００１３】  捕集後は捕集袋を弾性支持材３乃至４より外し、捕集袋１の一方の離型紙１２を剥がして他方の糊代１１を粘着材１３に貼着して捕集袋１を閉じて廃棄する。【００１４】  捕集袋１を取り付けた弾性支持材３乃至４を弾性支持材収納部２に容易に引き入れ、又は引き出すために、弾性支持材収納部２の入口両サイドにローラー２４，２４が軸支されており、開口部２５より捕集袋１が図１に示すように垂れ下がる。【００１５】  また、弾性支持材収納部２には仕切り部２３が形成されており、図４に示す弾性支持材４の保持部４１が弾性支持材収納部２の奥で保持されるように構成されている。又、弾性支持材４のスリット４３には捕集袋１の上部片面が保持され、２本の弾性支持材４にて使用時には、弾性支持材収納部２から引き出されたときに、捕集袋１をほぼ楕円形に開口させることができる。【００１６】  また、その先端部には係止部４２が形成されているので、使用時に捕集袋１が脱落することはないように構成されている。また、弾性支持材３乃至４の弾性は捕集袋１をほぼ楕円形に開口させることができると共に弾性支持材収納部２に容易に引き入れて収納できる弾性力を付勢されて形成してあるので弾性支持材収納部２からの出し入れは容易である。
【図面の簡単な説明】
【００１８】
【図１】本考案に係る犬糞取り具の全体斜視図である。
【図２】使用時に於ける捕集袋の弾性支持材の一例を示す斜視図である。
【図３】弾性支持材収納部の部分斜視図である。
【図４】弾性支持材の収納時の形状を示す他の実施例の斜視図である。
【図５】携帯時の一例を示す斜視図である。
【符号の説明】
【００１９】  １．  捕集袋
１１．  糊代
１２．  離型紙
１３．  粘着材
２．  弾性支持材収納部
２１．  スリット
２２．  把手部
２３．  仕切り部
２４．  ローラー
２５．  開口部
３．  弾性支持材
３１．  レバー
４．  弾性支持材
４１．  係止部
４２．  保持部
４３．  スリット
【図１】
0003112953.tif 000003
【図２】
0003112953.tif 000004
【図３】
0003112953.tif 000005
【図４】
0003112953.tif 000006
【図５】
0003112953.tif 000007